(57)【特許請求の範囲】
【請求項１】
複数枚のガラス板が並列して搭載されるように各ガラス板の下端部を支持する床枠と、
隣接するガラス板間に介装され、各ガラス板の上縁に係止させて装着される保護用スペーサと、
前記スペーサを介してガラス板を上側から押圧する押圧棒と、
前記ガラス板の背面側に前記押圧棒を縦方向にスライド可能に装着したガイド部材とを有し、
前記ガイド部材に沿って前記押圧棒を位置調整して固定保持するガラス板搬送用梱包装置において、
前記ガイド部材は、
縦方向のガイドスリットを有するスライド板を備え、
前記押圧棒の後端部を前記スライド板のガイドスリット内に装着し、
前記押圧棒の後端部の上側および下側に係止棒を固着し、上側の係止棒を前記スライド板の背面側に設け、下側の係止棒を前記スライド板の前面側に設け、
前記押圧棒の自重により前記上下の係止棒を前記スライド板に対し相互に反対方向から圧接させてこの押圧棒を前記ガイドスリットに沿った任意の位置で前記スライド板に係止して固定保持可能としたことを特徴とするガラス板搬送用梱包装置。
【請求項２】
前記スライド板は、上側が下側より後方になるように傾斜している請求項１に記載のガラス板搬送用梱包装置。
【発明の詳細な説明】
【０００１】
【発明の属する技術分野】
本発明は、複数枚のガラス板を梱包して搬送するためのガラス板搬送用梱包装置に関する。
【０００２】
【従来の技術】
図４および図５は、従来のガラス板搬送用梱包装置の全体図および側面図である。
このガラス板搬送用梱包装置１は、床枠２と、その４隅に設けた支柱３と、背枠４とを備える。床枠２には、複数の溝５を前後方向に連続的に並列して形成したガラス板受け用の下部スペーサ枠６が設けられる。この下部スペーサ枠６の各溝５にガラス板７の下端部が挿入される。床枠２上に並列して載置された複数枚のガラス板７の上縁には、各隣接するガラス板７間に介装されたガラス板保護用のスペーサ１３（図５）が係止する。このスペーサ１３の上側に、このスペーサ１３を介してガラス板７を固定保持するための押圧棒８が設けられる。梱包時、押圧棒８はベルト１４により下側に引張られガラス板７を締め付けて固定保持する。
【０００３】
ガラス板の背面側（後方側）には、ガラス板７を背面側から支持する背受け部材１０が設けられる。押圧棒８の後端部および背受け部材１０は、位置調整部材１１を介して縦方向のガイド部材９に固定保持される。位置調整部材１１は、ガイド部材９に沿って移動して位置調整可能であり、ガイド部材９に沿って設けた複数の位置決め孔１２を選択してネジ（図示しない）により選択された孔の位置に固定保持される。
【０００４】
このような構成により、ガラス板７の縦方向の寸法に応じて押圧棒８の位置を調整して、この押圧棒８によりガラス板７を上側から押圧して固定保持している。
【０００５】
【発明が解決しようとする課題】
しかしながら、従来のガラス板搬送用梱包装置においては、押圧棒８を位置決めして固定するための位置調整部材１１が、ガイド部材９に沿って設けた位置決め孔１２を選択して、この孔のピッチに対応した断続的な位置に段階的に調整されて固定保持されるため、ガラス板７と押圧棒８との間に隙間が形成される場合があった。このため、並列したガラス板７の前後方向に沿って均一にガラス板を押えることができず、ガラス板前側の押圧棒８をベルト１４で引張って固定した場合に後側のガラス板を押えることができずガラス板から浮いた状態となって、がたつきを生じ、搬送中の振動により梱包が緩んだり割れ等の原因となる場合があった。
【０００６】
本発明は上記従来技術を考慮したものであって、ガラス板を上から押える押圧棒の位置を無段階に任意の位置に調整可能としてガラス板を確実に押圧して固定保持可能としたガラス板搬送用梱包装置の提供を目的とする。
【０００７】
【課題を解決するための手段】
前記目的を達成するため、本発明では、複数枚のガラス板が並列して搭載されるように各ガラス板の下端部を支持する床枠と、隣接するガラス板間に介装され、各ガラス板の上縁に係止させて装着される保護用スペーサと、前記スペーサを介してガラス板を上側から押圧する押圧棒と、前記ガラス板の背面側に前記押圧棒を縦方向にスライド可能に装着したガイド部材とを有し、前記ガイド部材に沿って前記押圧棒を位置調整して固定保持するガラス板搬送用梱包装置において、前記ガイド部材は、縦方向のガイドスリットを有するスライド板を備え、前記押圧棒の後端部を前記スライド板のガイドスリット内に装着し、前記押圧棒の後端部の上側および下側に係止棒を固着し、上側の係止棒を前記スライド板の背面側に設け、下側の係止棒を前記スライド板の前面側に設け、前記押圧棒の自重により前記上下の係止棒を前記スライド板に対し相互に反対方向から圧接させてこの押圧棒を前記ガイドスリットに沿った任意の位置で前記スライド板に係止して固定保持可能としたことを特徴とするガラス板搬送用梱包装置を提供する。
【０００８】
この構成によれば、後端部がガイド部材に装着された略水平方向の押圧棒は、その自重によりこの後端部に前下がり方向の回転モーメントが作用し、押圧棒に固着された後端部上側の係止棒がほぼ垂直方向のスライド板の後側から前方に向けて圧接し、下側の係止棒がスライド板の前側から後方に向けて圧接する。これにより、上下の係止棒が相互に反対方向からスライド板を挟んで圧接しその摩擦力により固定保持される。
【０００９】
押圧棒を手で持上げれば、その後端部に反対方向の回転モーメントが作用して圧接力が解除され、押圧棒はスライド板に沿って自由に移動可能になる。これにより、押圧棒をスライド板に沿って任意の位置に位置調整することができ、その位置で手を離せば前述のように自重でその位置に固定保持される。
【００１０】
このようにスライド板に沿って無段階で連続的に任意の位置に押圧棒を位置合せすることができるため、梱包すべきガラス板の寸法に合わせて常に最適な位置で隙間なく複数の並列配置した全てのガラス板に対し均等に上側から圧接して確実に押えて固定することができる。
【００１１】
前記スライド板が上側が下側より後方になるように傾斜していることは好ましい。
【００１２】
この構成によれば、押圧棒が装着されるガイド部材のスライド板がその上側が下側より後方になるように後傾姿勢で傾斜しているため、押圧棒に固着した係止棒のスライド板に対する係止力が高まり、搬送中の振動等によっても位置ずれすることなくさらに確実にガラス板を押えて固定保持できる。
【００１３】
【発明の実施の形態】
以下図面を参照して本発明の実施の形態について説明する。
図１は本発明の実施の形態に係るガラス板搬送用梱包装置の要部側面図であり、図２はその要部斜視図である。
【００１４】
このガラス板搬送用梱包装置２０は、その床枠に設けた下部スペーサ枠２１（図４のガラス板受け用下部スペーサ枠６に相当）に形成された複数の溝２２にガラス板２３の下端部が係止するように、複数枚のガラス板２３を並列して搭載する。各ガラス板２３の上縁には、ガラス板保護用のスペーサ２４が係止される。これらのスペーサ２４は、隣接するガラス板２３間に介装されガラス板同士の接触による傷つき等を防止する。並列するガラス板２３の最後部のガラス板２３の背面側に背受け部材２５が設けられる。背受け部材２５はガラス板２３を背面側から支持する。この背受け部材２５は、図示しないボルト等の適当な手段でガイド部材２８に取付けられ、取付け孔３３（図２）を選択することにより位置調整可能である。
【００１５】
ガラス板２３の上縁側には角パイプ等からなる押圧棒２６が設けられる。この押圧棒２６は、各ガラス板２３の上縁に係止するスペーサ２４の中央上側に形成された切欠き２４ａ（図２）内に挿入される。押圧棒２６は、その先端部に設けたベルト２７を矢印Ｐのように下に引張ることにより、これらのスペーサ２４を介してガラス板２３を押圧して締め付けて固定保持する。
【００１６】
ガラス板２３の背面側には実質上縦方向のガイド部材２８が設けられる。このガイド部材２８は、図２に示すように、中央部に縦方向のガイドスリット３２が形成されたスライド板２９を有する。このガイドスリット３２内に押圧棒２６の後端部が装着される。押圧棒２６の後端部の上側には上側係止棒３０が溶接により固着され、下側には下側係止棒３１が上側係止棒３０より幾分前側の位置に同様に溶接により固着される。上側係止棒３０はスライド板２９の背面側に装着され、下側係止棒３１はスライド板２９の前面側に装着される。
【００１７】
このような構成において、押圧棒２６の自重によりその後端部に前下がり方向の回転モーメント（矢印Ａ）が作用し、上側係止棒３０がスライド板２９の背面側から前方に向けてスライド板を押圧し、下側係止棒３１がスライド板２９の前面側から後方に向けてスライド板を押圧する。これにより、上側および下側係止棒３０，３１がそれぞれ反対方向からスライド板２９を挟んで圧接し、摩擦圧接力を付与するため、押圧棒２６は滑り落ちることなくスライド板２９に係止して固定保持される。
【００１８】
スライド板２９は、その上側が下側より後方位置となるように幾分後傾姿勢で配設することが望ましい。このような後傾姿勢とすることにより、特に下側係止棒３１による係止力がさらに高まり、押圧棒２６がさらに滑り難くなって、搬送中の振動などによっても位置ずれすることなく、ガラス板を確実に固定保持できる。
【００１９】
このような傾斜角度を考慮して、押圧棒２６が水平に配置されるように、上側係止棒３０および下側係止棒３１の位置を定める。
【００２０】
押圧棒２６の位置を調整する場合には、押圧棒２６を手で持上げて、その後端部に矢印Ｂ方向の回転モーメントを作用させる。これにより、係止棒３０，３１による摩擦圧接力が解除され、押圧棒２６はガイドスリット３２に沿って自由に移動可能になる。ガラス板２３の高さに適合した位置で手を離せば、前述のように自重によりモーメントが作用して係止棒３０，３１による摩擦圧接力が発生しその調整された位置に固定保持される。
【００２１】
梱包を解除してガラス板を全て取出し、空になった上記ガラス板搬送用梱包装置は、支柱等（図４参照）を折畳んで輸送用車両等に積み重ねて送り返され、倉庫等に保管され必要時に再利用される。このように空のガラス板搬送用梱包装置を積み重ねる場合、本実施形態の押圧棒２６は、矢印Ｂ方向（図１）に回転させるだけで簡単に取外すことができ、ガイド部材２８と合わせてコンパクトな収納形態を簡単に形成できる。
【００２２】
図３（Ａ）〜（Ｅ）は、本発明のガラス板固定用の押圧棒２６の装着手順を順番に示す説明図である。
まず、（Ａ）に示すように、押圧棒２６の端部に段違いに設けた２つの係止棒（丸棒）３０，３１でスライド板２９を挟み込むようにしてこの押圧棒２６を差込む。このスライド板２９は、前述の図２に示したように、ガイドスリット３２の両側に形成されたガイド部材であり、押圧棒２６は、このガイドスリット３２内に差込まれる。
【００２３】
次に（Ｂ）に示すように、押圧棒２６を矢印Ａのようにスライドさせて梱包すべきガラス板（不図示）に応じた位置に合せる。この位置で（Ｃ）に示すように、押圧棒２６を手前に倒す。
【００２４】
この押圧棒２６をさらにほぼ水平位置まで倒すことにより、（Ｄ）に示すように、上側の係止棒３０がスライド板２９の後側に当接し、下側の係止棒３１がスライド板２９の前側に当接して、その回転モーメントによる摩擦圧接力により押圧棒２６を固定保持する。この状態で、（Ｅ）に示すように、結束用のベルト２７を締めてガラス板（不図示）を緊結する。
【００２５】
【発明の効果】
以上説明したように、本発明では、スライド板のガイドスリットに沿って無段階で連続的に任意の位置に押圧棒を位置合せすることができるため、この押圧棒を梱包すべきガラス板の寸法に合わせて常に最適な位置で隙間なく複数の並列配置した全てのガラス板に対し均等に上側から圧接して確実に押えて固定保持することができる。
【図面の簡単な説明】
【図１】  本発明の実施の形態に係るガラス板搬送用梱包装置の要部側面図。
【図２】  図１の装置の要部斜視図。
【図３】  本発明に係る押圧棒の固定手順の説明図。
【図４】  従来のガラス板搬送用梱包装置の斜視図。
【図５】  図４の装置の側面図。
【符号の説明】
１：ガラス板搬送用梱包装置、２：床枠、３：支柱、４：背枠、５：溝、
６：下部スペーサ枠、７：ガラス板、８：押圧棒、９：ガイド部材、
１０：背受け部材、１１：位置調整部材、１２：位置決め孔、
１３：スペーサ、１４：ベルト、２０：ガラス板搬送用梱包装置、
２１：床枠、２２：溝、２３：ガラス板、２４：スペーサ、
２５：背受け部材、２６：押圧棒、２７：ベルト、２８：ガイド部材、
２９：スライド板、３０：上側係止棒、３１：下側係止棒、
３２：ガイドスリット、３３：取付け孔。
【図１】
0004374748.tif 000002
【図２】
0004374748.tif 000003
【図３】
0004374748.tif 000004
【図４】
0004374748.tif 000005
【図５】
0004374748.tif 000006